(57)【要約】【課題】スライドファスナーを備えた物品の構造や外観性や取り扱いに与える影響を最小とする態様で、前記物品を纏めた状態を維持可能とする機能を、前記スライドファスナーを利用して容易に付与可能とする。【解決手段】スライドファスナー１のスライダ１ａの引き手１ｂに対する取付部分５と、物品２に備えられた被係合部４に物品２を纏めた状態で係合して纏めた状態を維持可能とする係合部分６とを備えている、補助引き手３の一端部９と取付部分５との間に、嵌合部６ａと、嵌合部６ａに対する被嵌合部６ｅとが形成されており、係合部分６を、嵌合部６ａの形成位置と被嵌合部６ｅの形成位置との間において補助引き手３を折り返し、両者を嵌合させることにより形成させている。【選択図】図８
2018202021.tif 000002
【特許請求の範囲】
【請求項１】
スライドファスナーのスライダの引き手の補助引き手であって、
スライドファスナーを備えた物品における前記引き手に対する取付部分と、
前記物品に備えられた被係合部に前記物品を纏めた状態で係合して前記纏めた状態を維持可能とする係合部分とを備えており、
前記補助引き手の一端部と前記取付部分との間に、嵌合部と、前記嵌合部に対する被嵌合部とが形成されており、
前記係合部分を、前記嵌合部の形成位置と前記被嵌合部の形成位置との間において前記補助引き手を折り返し、両者を嵌合させることにより形成させてなる、スライドファスナーの補助引き手。
【請求項２】
前記嵌合部を突起とし、前記被嵌合部を前記突起をはめ込み可能な穴としてなる、請求項１に記載のスライドファスナーの補助引き手。
【請求項３】
前記取付部分を、前記引き手に形成された穴に前記補助引き手をその一端部側から挿通した後、前記一端部を前記補助引き手の他端部に形成されたスリットに挿通して形成されるループ部によって構成してなる、請求項１又は請求項２に記載のスライドファスナーの補助引き手。
【請求項４】
前記取付部分と前記一端部との間に薄肉部を形成させてなる、請求項１〜請求項３のいずれか１項に記載のスライドファスナーの補助引き手。
【請求項５】
前記補助引き手を、可撓性を備えた帯状体としてなる、請求項１〜請求項４のいずれか１項に記載のスライドファスナーの補助引き手。
【請求項６】
請求項１〜請求項５のいずれか１項に記載のスライドファスナーの補助引き手と、
前記補助引き手を前記一端部から挿通可能な物品側ループ部とを備え、
前記物品側ループ部を前記被係合部とさせてなる、纏めた状態を維持可能とした物品。
【請求項７】
前記物品側ループ部を、両端を物品の表面部に止着させた紐状体によって構成させてなる、請求項６に記載の纏めた状態を維持可能とした物品。
【発明の詳細な説明】
【技術分野】
【０００１】
この発明は、スライドファスナーを備えた物品における前記スライドファスナーのスライダの引き手に取り付けられる補助引き手、及び、それを含んで構成される物品に関する。
【背景技術】
【０００２】
衣服の袖口にゴムコードを備えさせ、このゴムコードを利用して丸めた状態の衣服を輪止めするようにしたものとして、特許文献１に示されるものがある。
【０００３】
特許文献１のものは、衣服の袖口に形成されたゴムコードの通し部にゴムコードを通し、ゴムコードの両端を前記通し部内において縫い付けている。通し部はその中央に一対の開口を有し、この開口を通じてゴムコードの中間部は前記通し部から露出している。すなわち、特許文献１のものでは前記ゴムコードが衣服の構造と外観性に大きな影響を与えてしまう。したがってまた、特許文献１のものは既存の衣服に前記のような丸めた衣服のその状態を維持する機能を事後的に付与し得るものではない。
【先行技術文献】
【特許文献】
【０００４】
【特許文献１】実用新案登録第３１０７６５５号公報
【発明の概要】
【発明が解決しようとする課題】
【０００５】
この発明が解決しようとする主たる問題点は、スライドファスナーを備えた物品の構造や外観性や取り扱いに与える影響を最小とする態様で、前記物品を纏めた状態を維持可能とする機能を、前記物品に前記スライドファスナーを利用して容易に付与可能とする点にある。
【課題を解決するための手段】
【０００６】
前記課題を達成するために、この発明にあっては、第一の観点から、スライドファスナーの補助引き手を、
スライドファスナーのスライダの引き手の補助引き手であって、
スライドファスナーを備えた物品における前記引き手に対する取付部分と、
前記物品に備えられた被係合部に前記物品を纏めた状態で係合して前記纏めた状態を維持可能とする係合部分とを備えており、
前記補助引き手の一端部と前記取付部分との間に、嵌合部と、前記嵌合部に対する被嵌合部とが形成されており、
前記係合部分を、前記嵌合部の形成位置と前記被嵌合部の形成位置との間において前記補助引き手を折り返し、両者を嵌合させることにより形成させてなる、ものとした。
【０００７】
前記引き手に取付部分をもって補助引き手を取り付けた状態から、前記嵌合部の形成位置と前記被嵌合部の形成位置との間において前記補助引き手を折り返し、嵌合部を被嵌合部に嵌合させることにより、取付部分の先に二枚重ねとなった把持部分としても機能する係合部分を形成させることができる。
【０００８】
また、嵌合部と被嵌合部との嵌合を解除することで、係合部分を物品の被係合部に係合可能な展開状態に復帰させることができる。そして、この展開状態において、纏めた状態とした物品の被係合部に補助引き手を一方端部側から挿通した後、前記のように折り返し嵌合部を被嵌合部に嵌合させることで、係合部分を形成して物品の被係合部に補助引き手を一体化させることができる。これにより、物品の被係合部、補助引き手、引き手を介して、物品を纏めた状態を維持することが可能となる。
【０００９】
補助引き手は、スライドファスナーを備えた物品であれば、その物品の基本的なデザインを変更することなく前記取付部分をもって容易に取り付けることができ、取り付けられた物品に纏めた状態の維持機能を容易に追加できる。また、物品からの補助引き手の取り外しや、交換、使い回しも容易である。また、補助引き手はスライドファスナーのスライダの引き手を延長する態様なので、物品の外観に与える影響は最小ですみ、物品の利用上の邪魔になることもない。
【００１０】
前記嵌合部を突起とし、前記被嵌合部を前記突起をはめ込み可能な穴とすることが、この発明の態様の一つとされる。
【００１１】
また、前記取付部分を、前記引き手に形成された穴に前記補助引き手をその一端部側から挿通した後、前記一端部を前記補助引き手の他端部に形成されたスリットに挿通して形成されるループ部によって構成することが、この発明の態様の一つとされる。
【００１２】
また、前記取付部分と前記一端部との間に薄肉部を形成させておくことが、この発明の態様の一つとされる。
【００１３】
また、前記補助引き手を、可撓性を備えた帯状体とすることが、この発明の態様の一つとされる。
【００１４】
また、前記課題を達成するために、この発明にあっては、第二の観点から、纏めた状態を維持可能とした物品を、前記スライドファスナーの補助引き手と、
前記補助引き手を前記一端部から挿通可能な物品側ループ部とを備え、
前記物品側ループ部を前記被係合部とさせてなる、ものとした。
【００１５】
この場合、前記物品側ループ部を、両端を物品の表面部に止着させた紐状体によって構成させておくことが、この発明の態様の一つとされる。
【発明の効果】
【００１６】
この発明によれば、スライドファスナーを備えた物品の構造や外観性や取り扱いに与える影響を最小とする態様で、前記物品を纏めた状態を維持可能とする機能を、前記物品に前記スライドファスナーを利用して容易に付与することができる。
【図面の簡単な説明】
【００１７】
【図１】図１は、この発明の一実施の形態にかかる補助引き手の斜視図である。
【図２】図２は、前記補助引き手の斜視図であり、前記補助引き手をその裏面側から見て示している。
【図３】図３は、図１におけるＡ−Ａ線位置での断面図である。
【図４】図４は、取付部分となるループ部を形成してスライダの引き手に前記補助引き手を取り付ける過程を示した斜視図である。
【図５】図５は、スライダの引き手に前記補助引き手を取り付けた状態を示した斜視図であり、係合部分を形成させていない展開状態を示している。
【図６】図６は、図５の状態から前記補助引き手を折り返し把持部分ともなる係合部分を形成させた状態を示した斜視図である。
【図７】図７は、図６の状態を図６と反対側から見て示した斜視図である。
【図８】図８は、図６の状態の断面図である。
【図９】図９は、スライドファスナーを備えた物品のスライダの引き手に前記補助引き手を取り付けた状態の要部斜視図である。
【図１０】図１０は、前記物品の一例を示した正面構成図である。
【図１１】図１１は、図１０に示される物品を纏めた状態を示した斜視図である。
【発明を実施するための形態】
【００１８】
以下、図１〜図１１に基づいて、この発明の典型的な実施の形態について、説明する。この実施の形態にかかるスライドファスナーの補助引き手３は、スライドファスナー１を備えた物品２における前記スライドファスナー１のスライダ１ａの引き手１ｂに取り付けられて、この引き手１ｂをより把持しやすくする機能と、前記物品２を纏めた状態を維持可能とする機能とを発揮するものである。また、この実施の形態にかかる纏めた状態を維持可能とした物品２は、前記補助引き手３と、この補助引き手３が係合される被係合部４を備え、物品２を丸め、あるいは、畳むなどして纏めた状態を、前記補助引き手３と前記被係合部４を利用して維持できるようにしたものである。
【００１９】
補助引き手３は、可撓性を備えている。典型的には、補助引き手３は、ゴム状弾性を備えたプラスチックや、ゴムから構成される。
【００２０】
補助引き手３は、スライドファスナー１を備えた物品２における前記スライドファスナー１のスライダ１ａの引き手１ｂに対する取付部分５と、前記物品２に備えられた被係合部４に前記物品２を纏めた状態で係合して前記纏めた状態を維持可能とする係合部分６とを備えている。
【００２１】
前記物品２は、丸め、あるいは、畳むなどして纏めることが可能な材料から構成される。典型的には、被服、袋物、寝具、布製身の回り品、テントなど、織物やシートから構成された物品２が予定される。
【００２２】
図示の例では、補助引き手３は、全体として実質的に帯状を呈している。すなわち、補助引き手３は、長さと幅とを持ち、表面７と裏面８と厚さとを備えている（図１参照）。
【００２３】
補助引き手３の一端部９（図１における左側）は、前記表面７あるいは前記裏面８から補助引き手３を見た状態において、補助引き手３の中央１０側を湾曲内側とするように湾曲した輪郭を持つように形成されている。
【００２４】
補助引き手３の他端部１１（図１における右側）は、その余の箇所よりも幅広に構成されており、他端部１１とその余の箇所との間には、補助引き手３の左右の縁部において、段差１２が形成されている。
【００２５】
前記段差１２と補助引き手３の他端部１１の端末１１ａとの間には、補助引き手３の幅方向にスリット１３の長さ方向を沿わせるようにしてスリット１３が形成されている。
【００２６】
また、前記他端部１１には、前記スリット１３の中程の位置に一端を連通させて補助引き手３の一端部９側に延び、他端を前記段差１２よりもやや補助引き手３の中央１０に近い位置に位置させた補助スリット１４が形成されている。
【００２７】
図示の例では、補助引き手３は、
補助引き手３の長さ方向中程の位置において補助引き手３をほぼ二分する仮想の中間線分Ｌ１に沿った位置と、
中間線分Ｌ１と一端部９との間をほぼ二分する仮想の一端部側線分Ｌ２に沿った位置と、
中間線分Ｌ１と他端部１１との間をほぼ二分する仮想の他端部側線分Ｌ３に沿った位置とにそれぞれ段差１５、１６を備えており、
これらの段差１５、１６によって、四つの領域に区分された形態となっている。
【００２８】
以下では、一端部９と一端部側線分Ｌ２との間の領域を第一領域Ｓ１と、
一端部側線分Ｌ２と中間線分Ｌ１との間の領域を第二領域Ｓ２と、
中間線分Ｌ１と他端部側線分Ｌ３との間の領域を第三領域Ｓ３と、
他端部側線分Ｌ３と他端部１１との間の領域を第四領域Ｓ４と、称する（図１参照）。
【００２９】
第二領域Ｓ２は、第一領域Ｓ１及び第三領域Ｓ３よりも薄肉に構成されている。補助引き手３の表面７側では、第二領域Ｓ２は第一領域Ｓ１及び第三領域Ｓ３と面一となっているが（図１）、補助引き手３の裏面８側では、第二領域Ｓ２は凹んだ状態となっている（図２）。これにより、第二領域Ｓ２と第一領域Ｓ１の間、第二領域Ｓ２と第三領域Ｓ３との間に段差１５が形成されている。
【００３０】
第四領域Ｓ４は、第三領域Ｓ３よりも薄肉に構成されている。補助引き手３の裏面８側では、第四領域Ｓ４は第三領域Ｓ３と面一となっているが（図２）、補助引き手３の裏面８側では、第四領域Ｓ４は凹んだ状態となっている（図１）。これにより、第四領域Ｓ４と第三領域Ｓ３の間に段差１６が形成されている。
【００３１】
前記取付部分５は、前記引き手１ｂに形成された穴１ｃに前記補助引き手３をその一端部９側から挿通した後（図４）、前記一端部９を前記補助引き手３の他端部１１に形成された前記スリット１３に挿通して形成されるループ部５ａによって構成されるようになっている（図５）。
【００３２】
図示の例は、前記スリット１３の長さは前記他端部１１以外の補助引き手３のその余の箇所の幅と実質的に等しく、前記スリット１３の幅は補助引き手３の後述の嵌合部６ａとなる突起６ｂの形成位置以外での厚さと実質的に等しくなっている。後述のように前記第三領域Ｓ３には嵌合部６ａとなる突起６ｂがあるが、前記補助スリット１４によって前記スリット１３の幅を広げる弾性変形を生じさせやすくなっており、これにより、他端部１１のスリット１３内に補助引き手３の第一領域Ｓ１から第三領域Ｓ３までを挿通して前記ループ部５ａを形成できるようになっている。図示の例では、第四領域Ｓ４がループ部５ａを形成し、この状態で第三領域Ｓ３と第四領域Ｓ４との間の段差１６に他端部１１が第四領域Ｓ４の弾性復帰力により当接してループ部５ａの形状が一定に保持されるようになっている（図８）。
【００３３】
また、 前記補助引き手３の一端部９と前記取付部分５としてのループ部５ａとの間に、嵌合部６ａと、前記嵌合部６ａに対する被嵌合部６ｅとが形成されている。
【００３４】
それと共に、前記係合部分６を、前記嵌合部６ａの形成位置と前記被嵌合部６ｅの形成位置との間において前記補助引き手３を折り返し、両者を嵌合させることにより形成させている。
【００３５】
図示の例では、前記第三領域Ｓ３に前記嵌合部６ａを形成させると共に、前記第一領域Ｓ１に前記被嵌合部６ｅを形成させている。
【００３６】
図示の例では、前記嵌合部６ａを突起６ｂにより構成し、前記被嵌合部６ｅを前記突起６ｂをはめ込み可能な穴６ｆとして構成している。
【００３７】
前記突起６ｂは、補助引き手３の裏面８から突出している。突起６ｂは、補助引き手３の長さ方向に間隔を開けて二箇所に形成されている。突起６ｂは、突き出し端を頭部６ｃとし頭部６ｃと前記裏面８との間を頭部６ｃよりもやや小径の頸部６ｄしている。
【００３８】
前記穴６ｆは、補助引き手３の貫通している。前記穴６ｆは、前記突起６ｂに対応して補助引き手３の長さ方向に間隔を開けて二箇所に形成されている。前記穴６ｆは、前記表面７側にあって前記頭部６ｃの外径と実質的に等しい大径穴部６ｇと、前記裏面８側にあって前記頸部６ｄの外径と実質的に等しい小径穴部６ｈとからなり、大径穴部６ｆの底には段差面６ｉが形成されている。
【００３９】
また、図示の例では、前記取付部分５としてのループ部５ａと前記一端部９との間に、図示の例では前記第二領域Ｓ２によって、薄肉部１７を形成させている。
【００４０】
これにより、この実施の形態にかかる補助引き手３にあっては、前記引き手１ｂに取付部分５をもって補助引き手３を取り付けた状態から、前記薄肉部１７を利用して前記嵌合部６ａの形成位置と前記被嵌合部６ｅの形成位置との間において前記補助引き手３を折り返し、嵌合部６ａを被嵌合部６ｅに嵌合させることにより、取付部分５の先に二枚重ねとなった把持部分としても機能する係合部分６を形成させることができる（図６〜図８）。図示の例では、嵌合部６ａとなる前記突起６ｂは、被嵌合部６ｅとなる前記穴６ｆに弾性変形を生じさせながら挿入され、挿入終了位置での弾性復帰ににより頭部６ｃを前記段差面６ｉに引っかけるようになっている。
【００４１】
また、嵌合部６ａと被嵌合部６ｅとの嵌合を解除することで、係合部分６を物品２の被係合部４に係合可能な展開状態（図５）に復帰させることができる。そして、この展開状態において、纏めた状態とした物品２の被係合部４に補助引き手３を一端部９側から挿通した後、前記のように折り返し嵌合部６ａを被嵌合部６ｅに嵌合させることで、係合部分６を形成して物品２の被係合部４に補助引き手３を一体化させることができる（図８）。これにより、物品２の被係合部４、補助引き手３、引き手１ｂを介して、物品２を纏めた状態を維持することが可能となる。
【００４２】
補助引き手３は、スライドファスナー１を備えた物品２であれば、その物品２の基本的なデザインを変更することなく前記取付部分５をもって容易に取り付けることができ、取り付けられた物品２に纏めた状態の維持機能を容易に追加できる。また、物品２からの補助引き手３の取り外しや、交換、使い回しも容易である。また、補助引き手３はスライドファスナー１のスライダ１ａの引き手１ｂを延長する態様なので、物品２の外観に与える影響は最小ですみ、物品２の利用上の邪魔になることもない。
【００４３】
図示の例では、補助引き手３は、物品２に備えられた被係合部４としての物品側ループ部４ａに、挿通した後、前記のように係合部分６を形成して、この物品側ループ部４ａに係合部分６を係合させるのに適した形態となっている（図５、図８，図１１）。図示の例では、前記係合状態においては、第一領域Ｓ１と第三領域Ｓ３が密着し、第二領域Ｓ２が補助引き手３の幅方向に沿った前記物品側ループ部４ａの筒状通過空間を形成するようになっている（図６〜図８）。
【００４４】
図１０及び図１１は、以上に説明した補助引き手３と、前記補助引き手３を前記一端部９から挿通可能な物品側ループ部４ａとを備え、前記物品側ループ部４ａを前記被係合部４とさせてなる、纏めた状態を維持可能とした物品２の一例を示している。
【００４５】
この例では、前記物品側ループ部４ａを、両端を物品２の表面部に止着させた紐状体４ｂによって構成させている。
【００４６】
図示の例では、前記物品２は、スライドファスナー１を前身頃２ａに備えた被服の上衣となっている。前記スライドファスナー１のスライダ１ａの引き手１ｂに補助引き手３が取り付けられている。また、前身頃２ａの上下方向中程の位置であって、スライドファスナー１の側方に前記物品側ループ部４ａとなる紐状体４ｂが付設されている。
【００４７】
図示の例では、中心で左右に分かれる前身頃２ａの左右をとじ合わせるスライドファスナー１のスライダ１ａの引き手１ｂを最も上側に移動させて前記前身頃２ａの左右をとじ合わせた状態から、前記上衣を丸めて纏めたときに、前記物品側ループ部４ａに前記引き手１ｂに取り付けた補助引き手３を係合させることができるようになっている（図１１）。
【００４８】
なお、当然のことながら、本発明は以上に説明した実施形態に限定されるものではなく、本発明の目的を達成し得るすべての実施形態を含むものである。
【符号の説明】
【００４９】
１  スライドファスナー
１ａ  スライダ
１ｂ  引き手
２  物品
３  補助引き手
４  被係合部
５  取付部分
６  係合部分
６ａ  嵌合部
６ｅ  被嵌合部
９  一端部
【図１】
2018202021.tif 000003
【図２】
2018202021.tif 000004
【図３】
2018202021.tif 000005
【図４】
2018202021.tif 000006
【図５】
2018202021.tif 000007
【図６】
2018202021.tif 000008
【図７】
2018202021.tif 000009
【図８】
2018202021.tif 000010
【図９】
2018202021.tif 000011
【図１０】
2018202021.tif 000012
【図１１】
2018202021.tif 000013